(57)【要約】【課題】  より多くの視聴者から視聴した番組を計測した計測情報（視聴履歴）を得ることができる操作履歴携帯端末、視聴率測定装置、視聴率測定システムおよび視聴率測定方法を提供する。【解決手段】  操作履歴送信携帯端末１は、番組を表示する信号を受信する番組受信装置２に予め付属している付属操作装置４が発信した発信信号と、この発信信号を受信した時刻とを、付属操作装置４によって番組受信手段２を操作した操作履歴として、送信するものであって、信号受信手段５と、計時手段７と、操作履歴生成手段１７と、操作履歴記憶手段１９と、操作履歴送信手段２１と、を備えた。【選択図】      図１
2005286372.tif 000002
【特許請求の範囲】
【請求項１】
番組を表示する信号を受信する番組受信手段を操作可能な操作手段が発信した発信信号と、この発信信号を受信した時刻とを、前記操作手段によって前記番組受信手段を操作した操作履歴として、送信する操作履歴送信携帯端末であって、
前記操作手段が前記番組受信手段に発信した発信信号を受信する信号受信手段と、
この信号受信手段で発信信号が受信された時刻を計時する計時手段と、
前記信号受信手段で受信された発信信号を前記操作手段によって前記番組受信手段が操作された操作結果とし、この操作結果と前記計時手段で計時された時刻とを関連付けた操作履歴を生成する操作履歴生成手段と、
この操作履歴生成手段で生成された操作履歴を記憶する操作履歴記憶手段と、
この操作履歴記憶手段で記憶されている操作履歴を送信する操作履歴送信手段と、
を備えることを特徴とする操作履歴送信携帯端末。
【請求項２】
番組を表示する信号を受信する番組受信手段を操作可能な操作手段によって当該番組受信手段を操作した際の操作結果と、操作した時刻とを関連付けた操作履歴を送信する操作履歴送信携帯端末であって、
前記操作手段が前記番組受信手段に発信した発信信号を受信する信号受信手段と、
この信号受信手段で受信した発信信号と、この発信信号を受信した前記番組受信手段の操作結果とが予め関連付けられている発信信号操作結果関連情報を記憶する発信信号操作結果関連情報記憶手段と、
前記信号受信手段で発信信号が受信された時刻を計時する計時手段と、
前記発信信号操作結果関連情報記憶手段に記憶されている発信信号操作結果関連情報に基づいて、前記操作手段によって前記番組受信手段が操作された操作結果を得て、当該操作結果と前記計時手段で計時された時刻とを関連付けた操作履歴を生成する操作履歴生成手段と、
この操作履歴生成手段で生成された操作履歴を記憶する操作履歴記憶手段と、
この操作履歴記憶手段で記憶されている操作履歴を送信する操作履歴送信手段と、
を備えることを特徴とする操作履歴送信携帯端末。
【請求項３】
番組を表示する信号を受信する番組受信手段を操作可能な操作手段の操作によって発信された発信信号を当該操作手段が操作された操作結果とし、この操作結果を使用して携帯端末が生成した操作履歴を受信し、この受信した操作履歴に基づいて、前記番組毎の視聴率を測定する視聴率測定装置であって、
前記操作履歴を取得する操作履歴取得手段と、
この操作履歴取得手段によって取得した操作履歴にて前記操作結果として関連付けられている前記発信信号と、この発信信号を受信した前記番組受信手段の操作結果とが予め関連付けられている発信信号操作結果関連情報を記憶する発信信号操作結果関連情報記憶手段と、
この発信信号操作結果関連情報記憶手段に記憶されている発信信号操作結果関連情報に基づいて、前記番組受信手段の操作結果を得て、この番組受信手段の操作結果と、前記操作履歴にて関連付けられている前記操作手段が操作された時刻とに基づいて、前記番組の視聴率を測定する視聴率測定手段と、
この視聴率測定手段で測定された番組の視聴率を記憶する視聴率記憶手段と、
を備えることを特徴とする視聴率測定装置。
【請求項４】
番組を表示する信号を受信する番組受信手段を操作可能な操作手段を操作した際の操作結果と、操作した時刻とを関連付けた操作履歴を、携帯端末から受信して、この受信した操作履歴に基づいて、前記番組毎の視聴率を測定する視聴率測定装置であって、
前記操作履歴を取得する操作履歴取得手段と、
この操作履歴取得手段によって取得した操作履歴にて関連付けられている操作結果から前記番組受信手段の操作結果を得て、この番組受信手段の操作結果と、前記操作履歴にて関連付けられている前記操作手段が操作された時刻とに基づいて、前記番組の視聴率を測定する視聴率測定手段と、
この視聴率測定手段で測定された番組の視聴率を記憶する視聴率記憶手段と、
を備えることを特徴とする視聴率測定装置。
【請求項５】
番組を表示する信号を受信する番組受信手段を操作可能な操作手段が発信した発信信号と、この発信信号を受信した時刻とを、前記操作手段によって前記番組受信手段を操作した操作履歴として、送信する操作履歴送信携帯端末と、この操作履歴送信携帯端末から送信された操作履歴に基づいて、前記番組毎の視聴率を測定する視聴率測定装置とを備える視聴率測定システムであって、
前記操作履歴送信携帯端末は、
前記操作手段が前記番組受信手段に発信した発信信号を受信する信号受信手段と、
この信号受信手段で発信信号が受信された時刻を計時する計時手段と、
前記信号受信手段で受信された発信信号を前記操作手段によって前記番組受信手段が操作された操作結果とし、この操作結果と前記計時手段で計時された時刻とを関連付けた操作履歴を生成する操作履歴生成手段と、
この操作履歴生成手段で生成された操作履歴を記憶する操作履歴記憶手段と、
この操作履歴記憶手段で記憶されている操作履歴を送信する操作履歴送信手段とを備え、
前記視聴率測定装置は、
前記操作履歴を取得する操作履歴取得手段と、
この操作履歴取得手段によって取得した操作履歴にて前記操作結果として関連付けられている前記発信信号と、この発信信号を受信した前記番組受信手段の操作結果とが予め関連付けられている発信信号操作結果関連情報を記憶する発信信号操作結果関連情報記憶手段と、
この発信信号操作結果関連情報記憶手段に記憶されている発信信号操作結果関連情報に基づいて、前記番組受信手段の操作結果を得て、この番組受信手段の操作結果と、前記操作履歴にて関連付けられている前記操作手段が操作された時刻とに基づいて、前記番組の視聴率を測定する視聴率測定手段と、
この視聴率測定手段で測定された番組の視聴率を記憶する視聴率記憶手段と、
を備えることを特徴とする視聴率測定システム。
【請求項６】
番組を表示する信号を受信する番組受信手段を操作可能な操作手段によって当該番組受信手段を操作した際の操作結果と、操作した時刻とを関連付けた操作履歴を送信する操作履歴送信携帯端末と、この操作履歴送信携帯端末から送信された操作履歴に基づいて、前記番組毎の視聴率を測定する視聴率測定装置とを備える視聴率測定システムであって、
前記操作履歴送信携帯端末は、
前記操作手段が前記番組受信手段に発信した発信信号を受信する信号受信手段と、
この信号受信手段で受信した発信信号と、この発信信号を受信した前記番組受信手段の操作結果とが予め関連付けられている発信信号操作結果関連情報を記憶する発信信号操作結果関連情報記憶手段と、
前記信号受信手段で発信信号が受信された時刻を計時する計時手段と、
前記発信信号操作結果関連情報記憶手段に記憶されている発信信号操作結果関連情報に基づいて、前記操作手段によって前記番組受信手段が操作された操作結果を得て、当該操作結果と前記計時手段で計時された時刻とを関連付けた操作履歴を生成する操作履歴生成手段と、
この操作履歴生成手段で生成された操作履歴を記憶する操作履歴記憶手段と、
この操作履歴記憶手段で記憶されている操作履歴を送信する操作履歴送信手段とを備え、
前記視聴率測定装置は、
前記操作履歴を取得する操作履歴取得手段と、
この操作履歴取得手段によって取得した操作履歴にて関連付けられている操作結果から前記番組受信手段の操作結果を得て、この番組受信手段の操作結果と、前記操作履歴にて関連付けられている前記操作手段が操作された時刻とに基づいて、前記番組の視聴率を測定する視聴率測定手段と、
この視聴率測定手段で測定された番組の視聴率を記憶する視聴率記憶手段と、
を備えることを特徴とする視聴率測定システム。
【請求項７】
番組を表示する信号を受信する番組受信手段を操作可能な操作手段が発信した発信信号と、この発信信号を受信した時刻とを、前記操作手段によって前記番組受信手段を操作した操作履歴として、送信する操作履歴送信携帯端末と、この操作履歴送信携帯端末から送信された操作履歴に基づいて、前記番組毎の視聴率を測定する視聴率測定装置とによって、前記番組毎の視聴率を測定する視聴率測定方法であって、
前記操作履歴送信携帯端末は、
前記操作手段が前記番組受信手段に発信した発信信号を受信する信号受信ステップと、
前記信号受信ステップにて発信信号が受信された時刻を計時する計時ステップと、
前記信号受信ステップにて受信された発信信号を前記操作手段によって前記番組受信手段が操作された操作結果とし、この操作結果と前記計時手段で計時された時刻とを関連付けた操作履歴を生成する操作履歴生成ステップと、
この操作履歴生成ステップにて生成された操作履歴を操作履歴記憶手段に記憶する操作履歴記憶ステップと、
前記操作履歴記憶手段で記憶されている操作履歴を送信する操作履歴送信ステップとを含み、
前記視聴率測定装置は、
前記操作履歴を取得する操作履歴取得ステップと、
この操作履歴取得ステップにて取得した操作履歴にて前記操作結果として関連付けられている前記発信信号と、この発信信号を受信した前記番組受信手段の操作結果とが予め関連付けられている発信信号操作結果関連情報に基づいて、前記番組受信手段の操作結果を得て、この番組受信手段の操作結果と、前記操作履歴にて関連付けられている前記操作手段が操作された時刻とに基づいて、前記番組の視聴率を測定する視聴率測定ステップと、
この視聴率測定ステップにて測定された番組の視聴率を視聴率記憶手段に記憶する視聴率記憶ステップと、
を含むことを特徴とする視聴率測定方法。
【請求項８】
番組を表示する信号を受信する番組受信手段を操作可能な操作手段によって前記番組受信手段を操作した際の操作結果と、操作した時刻とを関連付けた操作履歴を送信する操作履歴送信携帯端末と、この操作履歴送信携帯端末から送信された操作履歴に基づいて、前記番組毎の視聴率を測定する視聴率測定装置とによって、前記番組毎の視聴率を測定する視聴率測定方法であって、
前記操作履歴送信携帯端末は、
前記操作手段が前記番組受信手段に発信した発信信号を受信する信号受信ステップと、
前記信号受信手段で発信信号が受信された時刻を計時する計時ステップと、
前記信号受信ステップにて受信した発信信号と、この発信信号を受信した前記番組受信手段の操作結果とが予め関連付けられている発信信号操作結果関連情報に基づいて、前記操作手段によって前記番組受信手段が操作された操作結果を得て、当該操作結果と前記計時ステップにて計時された時刻とを関連付けた操作履歴を生成する操作履歴生成ステップと、
この操作履歴生成ステップにて生成された操作履歴を操作履歴記憶手段に記憶する操作履歴記憶ステップと、
前記操作履歴記憶手段で記憶されている操作履歴を送信する操作履歴送信ステップとを含み、
前記視聴率測定装置は、
前記操作履歴を取得する操作履歴取得ステップと、
この操作履歴取得ステップによって取得した操作履歴にて関連付けられている操作結果から前記番組受信手段の操作結果を得て、この番組受信手段の操作結果と、前記操作履歴にて関連付けられている前記操作手段が操作された時刻とに基づいて、前記番組の視聴率を測定する視聴率測定ステップと、
この視聴率測定ステップにて測定された番組の視聴率を視聴率記憶手段に記憶する視聴率記憶ステップと、
を含むことを特徴とする視聴率測定方法。
【発明の詳細な説明】
【技術分野】
【０００１】
本発明は、番組の視聴率を測定するために当該番組を受信する番組受信手段を、当該番組受信手段を操作可能な操作手段で操作した操作履歴を送信する操作履歴送信携帯端末、この操作履歴から視聴率を測定する視聴率測定装置、これらを備えた視聴率測定システム、これらを用いた視聴率測定方法に関する。
【背景技術】
【０００２】
従来、番組（デジタル放送、アナログ放送、ＢＳ、ＣＳ、ケーブルテレビ等の番組［放送番組］）の視聴率は、実際に番組が放送されている時間に視聴者が視聴した場合に、当該視聴者の家庭等に設置された視聴率計測器（ＳＴＢ［セットトップボックス］等を利用したもの）から送信された計測情報（視聴履歴）を、視聴率データセンタに設置されたサーバで集計することで求められている（例えば、特許文献１参照）。
【特許文献１】特開２００２−７７４３６号公報（段落００２０、００２２、図１）
【発明の開示】
【発明が解決しようとする課題】
【０００３】
しかしながら、従来の番組の視聴率測定では、視聴率計測器のコストがかかるので、予め契約した限定数のモニタ（視聴者）にのみ当該視聴率計測器を配布し、このモニタが視聴した番組を計測した計測情報を集計して統計処理することで、当該番組の視聴率としており、より多くの視聴者から計測情報（視聴履歴）を得ることが困難であるという問題がある。
【０００４】
そこで、本発明では、前記した問題を解決し、より多くの視聴者から視聴した番組を計測した計測情報（視聴履歴）を得ることができる操作履歴携帯端末、視聴率測定装置、視聴率測定システムおよび視聴率測定方法を提供することを目的とする。
【課題を解決するための手段】
【０００５】
前記課題を解決するため、請求項１記載の操作履歴送信携帯端末は、番組を表示する信号を受信する番組受信手段を操作可能な操作手段が発信した発信信号と、この発信信号を受信した時刻とを、前記操作手段によって前記番組受信手段を操作した操作履歴として、送信する操作履歴送信携帯端末であって、信号受信手段と、計時手段と、操作履歴生成手段と、操作履歴記憶手段と、操作履歴送信手段と、を備える構成とした。
【０００６】
かかる構成によれば、操作履歴送信携帯端末は、操作手段により番組受信手段が操作される際に、当該操作手段から発信される発信信号を、信号受信手段によって受信する。番組受信手段は、チューナを備えたものである。操作手段は、番組受信手段を操作可能な機器（装置）であり、番組受信手段に付属している既存のもの、或いは、別売りされているもので、いわゆるリモコンである。また、発信信号は、この操作手段から発信（発光）される信号（赤外線）を指すものである。
【０００７】
また、操作履歴送信携帯端末は、計時手段によって、発信信号を受信した時刻、すなわち、操作手段で番組受信手段が操作された時刻を計時する。つまり、当該端末に内蔵されている内部クロックによって、正確な時刻（何時何分何秒）が計時される。そして、操作履歴送信携帯端末は、操作履歴生成手段によって、信号受信手段で受信された発信信号を操作手段によって番組受信手段が操作された操作結果とし、この操作結果と計時手段で計時された時刻とを関連付けた操作履歴を生成する。操作結果は、チャンネルを選択する選択操作、番組受信手段の動作を開始させる動作開始操作（電源オン）、番組受信手段の動作を終了させる動作終了操作（電源オフ）等が行われた結果を指すものである。操作履歴は、これらの操作結果と、時刻とが関連付けられたものである。
【０００８】
なお、この操作履歴送信携帯端末の操作履歴生成手段では、操作手段が発信した発信信号（赤外線等）を、そのまま利用して、操作履歴を生成している。通常、操作手段から発信される発信信号は、番組受信手段を製造しているメーカ毎に異なっており、発信信号のみでは、実際に番組受信手段がどのように操作されたのか（番組受信手段の動作）は判別することができない。つまり、この発信信号と、番組受信手段の操作結果（動作）とを関連付けた情報（発信信号操作結果関連情報）が必要となる。つまり、この操作履歴送信携帯端末は、発信信号と時刻とを関連付けた操作履歴を生成することにして、実際に視聴率を測定する側（視聴率測定装置）で、発信信号を解釈する負担を請け負わせたものである。
【０００９】
また、ここで敢えて、「視聴履歴」という文言を使用せず、「操作履歴」としているのは、操作履歴送信携帯端末の利用者は、あくまでも、操作手段によって番組受信手段を「操作している」だけであって、利用者が本当に番組を「視聴している」と断言できない不確実さがあるためである。この不確実さを解消するための手立てについては、実施形態の中で述べることとする。
【００１０】
そして、操作履歴送信携帯端末は、操作履歴記憶手段によって、操作履歴生成手段で生成された操作履歴を記憶し、操作履歴送信手段によって、操作履歴記憶手段で記憶されている操作履歴を送信する。操作履歴を送信するタイミングは、一定時間毎、または、操作履歴を収集（回収）する視聴率データセンタの装置から送信された操作履歴要求信号を受信した場合等が挙げられる。なお、操作履歴送信携帯端末は通話機能を備えた携帯電話であってもよい。
【００１１】
請求項２記載の操作履歴送信携帯端末は、番組を受信する番組受信手段を操作可能な操作手段によって前記番組受信手段を操作した際の操作結果と、操作した時刻とを関連付けた操作履歴を送信する操作履歴送信携帯端末であって、信号受信手段と、発信信号操作結果関連情報記憶手段と、計時手段と、操作履歴生成手段と、操作履歴記憶手段と、操作履歴送信手段と、を備える構成とした。
【００１２】
かかる構成によれば、操作履歴送信携帯端末は、操作手段により番組受信手段が操作される際に、当該操作手段から発信される発信信号を、信号受信手段によって受信し、また、計時手段によって、発信信号を受信した時刻、すなわち、操作手段で番組受信手段が操作された時刻を計時する。そして、操作履歴送信携帯端末は、操作履歴生成手段によって、発信信号操作結果関連情報記憶手段に記憶されている、信号受信手段で受信した発信信号とこの発信信号を受信した番組受信手段の操作結果（動作）とが予め関連付けられている発信信号操作結果関連情報に基づいて、操作手段により番組受信手段が操作された操作結果を得て、当該操作結果と計時手段で計時された時刻とを関連付けた操作履歴を生成する。
【００１３】
そして、操作履歴送信携帯端末は、操作履歴記憶手段によって、操作履歴生成手段で生成された操作履歴を記憶し、操作履歴送信手段によって、操作履歴記憶手段で記憶されている操作履歴を送信する。
【００１４】
請求項３記載の視聴率測定装置は、番組を表示する信号を受信する番組受信手段を操作可能な操作手段の操作によって発信された発信信号を当該操作手段が操作された操作結果とし、この操作結果を使用して携帯端末が生成した操作履歴を受信し、この受信した操作履歴に基づいて、前記番組毎の視聴率を測定する視聴率測定装置であって、操作履歴取得手段と、発信信号操作結果関連情報記憶手段と、視聴率測定手段と、視聴率記憶手段と、を備える構成とした。
【００１５】
かかる構成によれば、視聴率測定装置は、操作履歴取得手段によって、携帯端末（操作履歴送信携帯端末）から送信された操作履歴を取得する。この視聴率測定装置は、視聴率を測定（算出）する視聴率データセンタ設置されるものである。なお、携帯端末が通話機能を備えた携帯電話であった場合、操作履歴は、当該携帯電話を管理する事業者のサーバ（携帯電話事業者サーバ）を介して、取得（回収）されることになる。また、この視聴率測定装置は、請求項１に記載の操作履歴送信携帯端末に対応して番組の視聴率を測定できるものである。
【００１６】
続いて、この視聴率測定装置は、視聴率測定手段によって、発信信号操作結果関連情報記憶手段に記憶されている、操作履歴にて関連付けられている発信信号とこの発信信号を受信した番組受信手段の操作結果（動作）とが予め関連付けられている発信信号操作結果関連情報に基づいて、番組受信手段の操作結果を得て、この番組受信手段の操作結果と操作履歴にて関連付けられている操作手段により番組受信手段が操作された時刻とに基づいて、番組の視聴率を測定する。つまり、視聴率測定手段は、各携帯端末から送信された操作履歴について、どの番組を選択する操作が行われたかということ（操作結果）と、この選択する操作がいつ行われたかということ（時刻）とについて、それぞれの番組毎に集計を取って、視聴率を測定（算出）する。この番組の視聴率は、番組毎の一定時間毎（いわゆる瞬間視聴率）に求められるものである。そして、視聴率測定装置は、視聴率記憶手段によって、視聴率測定手段で測定された番組の視聴率を記憶する。なお、この番組の視聴率を、ネットワークを介して番組を放送した放送局に送信することが可能である。
【００１７】
なお、この視聴率測定装置は、視聴率測定手段によって、番組の視聴時間を算出することができる。つまり、一方の番組の選択操作が行われた時刻と他方の番組の選択操作が行われた時刻との差によって求められる。
【００１８】
請求項４記載の視聴率測定装置は、番組を表示する信号を受信する番組受信手段を操作可能な操作手段を操作した際の操作結果と、操作した時刻とを関連付けた操作履歴を、携帯端末から受信して、この受信した操作履歴に基づいて、前記番組毎の視聴率を測定する視聴率測定装置であって、操作履歴取得手段と、視聴率測定手段と、視聴率記憶手段と、を備える構成とした。
【００１９】
かかる構成によれば、視聴率測定装置は、操作履歴取得手段によって、携帯端末（操作履歴送信携帯端末）から送信された操作履歴を取得する。続いて、この視聴率測定装置は、視聴率測定手段によって、操作履歴にて関連付けられている操作結果から番組受信手段の動作を得て、この番組受信手段の操作結果と操作履歴にて関連付けられている操作手段が操作された時刻とに基づいて、番組の視聴率を測定する。そして、視聴率測定装置は、視聴率記憶手段によって、視聴率測定手段で測定された番組の視聴率を記憶する。なお、この番組の視聴率を、ネットワークを介して番組を放送した放送局に送信することが可能である。また、この視聴率測定装置は、請求項２に記載の操作履歴送信携帯端末に対応して番組の視聴率を測定できるものである。
【００２０】
請求項５記載の視聴率測定システムは、番組を表示する信号を受信する番組受信手段を操作可能な操作手段が発信した発信信号と、この発信信号を受信した時刻とを、前記操作手段によって前記番組受信手段を操作した操作履歴として、送信する操作履歴送信携帯端末と、この操作履歴送信携帯端末から送信された操作履歴に基づいて、前記番組毎の視聴率を測定する視聴率測定装置とを備える視聴率測定システムであって、前記操作履歴送信携帯端末は、信号受信手段と、計時手段と、操作履歴生成手段と、操作履歴記憶手段と、操作履歴送信手段とを備え、前記視聴率測定装置は、操作履歴取得手段と、発信信号操作結果関連情報記憶手段と、視聴率測定手段と、視聴率記憶手段と、を備える構成とした。
【００２１】
かかる構成によれば、視聴率測定システムにおいて、操作履歴送信携帯端末は、操作手段により番組受信手段が操作される際に、当該操作手段から発信される発信信号を、信号受信手段によって受信し、計時手段によって、発信信号を受信した時刻、すなわち、操作手段で番組受信手段が操作された時刻を計時する。そして、操作履歴送信携帯端末は、操作履歴生成手段によって、信号受信手段で受信された発信信号を操作手段によって番組受信手段が操作された操作結果とし、この操作結果と計時手段で計時された時刻とを関連付けた操作履歴を生成する。そして、操作履歴送信携帯端末は、操作履歴記憶手段によって、操作履歴生成手段で生成された操作履歴を記憶し、操作履歴送信手段によって、操作履歴記憶手段で記憶されている操作履歴を送信する。また、視聴率測定装置は、操作履歴取得手段によって、操作履歴送信携帯端末から送信された操作履歴を取得する。続いて、この視聴率測定装置は、視聴率測定手段によって、発信信号操作結果関連情報記憶手段に記憶されている、操作履歴にて関連付けられている発信信号とこの発信信号を受信した番組受信手段の操作結果とが予め関連付けられている発信信号操作結果関連情報に基づいて、番組受信手段の操作結果を得て、この番組受信手段の操作結果と操作履歴にて関連付けられている操作手段により番組受信手段が操作された時刻とに基づいて、番組の視聴率を測定する。そして、視聴率測定装置は、視聴率記憶手段によって、視聴率測定手段で測定された番組の視聴率を記憶する。
【００２２】
請求項６記載の視聴率測定システムは、番組を表示する信号を受信する番組受信手段を操作可能な操作手段によって前記番組受信手段を操作した際の操作結果と、操作した時刻とを関連付けた操作履歴を送信する操作履歴送信携帯端末と、この操作履歴送信携帯端末から送信された操作履歴に基づいて、前記番組毎の視聴率を測定する視聴率測定装置とを備える視聴率測定システムであって、前記操作履歴送信携帯端末は、信号受信手段と、発信信号操作結果関連情報記憶手段と、計時手段と、操作履歴生成手段と、操作履歴記憶手段と、操作履歴送信手段とを備え、前記視聴率測定装置は、操作履歴取得手段と、視聴率測定手段と、視聴率記憶手段と、を備える構成とした。
【００２３】
かかる構成によれば、視聴率測定システムにおいて、操作履歴送信携帯端末は、操作手段により番組受信手段が操作される際に、当該操作手段から発信される発信信号を、信号受信手段によって受信し、また、計時手段によって、発信信号を受信した時刻、すなわち、操作手段で番組受信手段が操作された時刻を計時する。そして、操作履歴送信携帯端末は、操作履歴生成手段によって、発信信号操作結果関連情報記憶手段に記憶されている、信号受信手段で受信した発信信号とこの発信信号を受信した番組受信手段の操作結果とが予め関連付けられている発信信号操作結果関連情報に基づいて、操作手段により番組受信手段が操作された操作結果を得て、当該操作結果と計時手段で計時された時刻とを関連付けた操作履歴を生成する。そして、操作履歴送信携帯端末は、操作履歴記憶手段によって、操作履歴生成手段で生成された操作履歴を記憶し、操作履歴送信手段によって、操作履歴記憶手段で記憶されている操作履歴を送信する。また、視聴率測定装置は、操作履歴取得手段によって、携帯端末（操作履歴送信携帯端末）から送信された操作履歴を取得する。続いて、この視聴率測定装置は、視聴率測定手段によって、操作履歴にて関連付けられている操作結果から番組受信手段の操作結果を得て、この番組受信手段の操作結果と操作履歴にて関連付けられている操作手段が操作された時刻とに基づいて、番組の視聴率を測定する。そして、視聴率測定装置は、視聴率記憶手段によって、視聴率測定手段で測定された番組の視聴率を記憶する。
【００２４】
請求項７の視聴率測定方法は、番組を表示する信号を受信する番組受信手段を操作可能な操作手段が発信した発信信号と、この発信信号を受信した時刻とを、前記操作手段によって前記番組受信手段を操作した操作履歴として、送信する操作履歴送信携帯端末と、この操作履歴送信携帯端末から送信された操作履歴に基づいて、前記番組毎の視聴率を測定する視聴率測定装置とによって、前記番組毎の視聴率を測定する視聴率測定方法であって、前記操作履歴送信携帯端末においては、信号受信ステップと、計時ステップと、操作履歴生成ステップと、操作履歴記憶ステップと、操作履歴送信ステップとを含み、前記視聴率測定装置においては、操作履歴取得ステップと、視聴率測定ステップと、視聴率記憶ステップと、を含む手順とした。
【００２５】
かかる手順によれば、視聴率測定方法は、操作履歴送信携帯端末において、信号受信ステップにて、操作手段により番組受信手段が操作される際に、当該操作手段から発信される発信信号を受信し、計時ステップにて、発信信号を受信した時刻、すなわち、操作手段で番組受信手段が操作された時刻を計時する。そして、操作履歴生成ステップにて、信号受信ステップにより受信された発信信号を操作手段によって番組受信手段が操作された操作結果とし、この操作結果と計時ステップにより計時された時刻とを関連付けた操作履歴を生成する。そして、操作履歴記憶ステップにて、操作履歴生成ステップにより生成された操作履歴を操作履歴記憶手段に記憶し、操作履歴送信ステップにて、操作履歴記憶手段で記憶されている操作履歴を送信する。また、視聴率測定装置において、操作履歴取得ステップにて、操作履歴送信携帯端末から送信された操作履歴を取得する。続いて、視聴率測定ステップにて、発信信号操作結果関連情報記憶手段に記憶されている、操作履歴にて関連付けられている発信信号とこの発信信号を受信した番組受信手段の操作結果とが予め関連付けられている発信信号操作結果関連情報に基づいて、番組受信手段の操作結果を得て、この番組受信手段の操作結果と操作履歴にて関連付けられている操作手段により番組受信手段が操作された時刻とに基づいて、番組の視聴率を測定する。そして、視聴率記憶ステップにて、視聴率測定ステップにより測定された番組の視聴率を視聴率記憶手段に記憶する。
【００２６】
請求項８記載の視聴率測定方法は、番組を表示する信号を受信する番組受信手段を操作可能な操作手段によって前記番組受信手段を操作した際の操作結果と、操作した時刻とを関連付けた操作履歴を送信する操作履歴送信携帯端末と、この操作履歴送信携帯端末から送信された操作履歴に基づいて、前記番組毎の視聴率を測定する視聴率測定装置とによって、前記番組毎の視聴率を測定する視聴率測定方法であって、前記操作履歴送信携帯端末においては、信号受信ステップと、計時ステップと、操作履歴生成ステップと、操作履歴記憶ステップと、操作履歴送信ステップとを含み、前記視聴率測定装置においては、操作履歴取得ステップと、視聴率測定ステップと、視聴率記憶ステップと、を含む手順とした。
【００２７】
かかる手順によれば、視聴率測定方法は、操作履歴送信携帯端末において、信号受信ステップにて、操作手段により番組受信手段が操作される際に、当該操作手段から発信される発信信号を受信し、また、計時ステップにて、発信信号を受信した時刻、すなわち、操作手段で番組受信手段が操作された時刻を計時する。そして、操作履歴生成ステップにて、発信信号操作結果関連情報記憶手段に記憶されている、信号受信ステップにより受信した発信信号とこの発信信号を受信した番組受信手段の操作結果とが予め関連付けられている発信信号操作結果関連情報に基づいて、操作手段により番組受信手段が操作された操作結果を得て、当該操作結果と計時ステップにより計時された時刻とを関連付けた操作履歴を生成する。そして、操作履歴記憶ステップにおいて、操作履歴生成ステップにて生成された操作履歴を操作履歴記憶手段に記憶し、操作履歴送信ステップによって、操作履歴記憶手段で記憶されている操作履歴を送信する。また、視聴率測定装置において、操作履歴取得ステップにて、操作履歴送信携帯端末から送信された操作履歴を取得する。続いて、視聴率測定ステップにて、操作履歴にて関連付けられている操作結果から番組受信手段の操作結果を得て、この番組受信手段の操作結果と操作履歴にて関連付けられている操作手段が操作された時刻とに基づいて、番組の視聴率を測定する。そして、視聴率記憶ステップにて、視聴率測定ステップにより測定された番組の視聴率を視聴率記憶手段に記憶する。
【発明の効果】
【００２８】
請求項１、２記載の発明によれば、携帯電話等の携帯端末を操作履歴送信携帯端末として使用すると、操作手段によって番組受信手段が操作された操作結果と時刻とが関連付けられた操作履歴を送信することになるので、従来のように視聴率計測器等の特別な機器を必要とすることが無く、より多くの視聴者から効率よく操作履歴（計測情報）を取得することができる。また、携帯電話等の携帯端末から出力される際には、通常、符号化して送信しており、さらにこの操作履歴を暗号化すれば、操作履歴（計測情報）の安全性を確保することができ、当該操作履歴を集計すれば、番組の視聴率を測定することができる。
【００２９】
請求項３、４記載の発明によれば、携帯端末から送信された、番組受信手段を操作可能な操作手段によって当該番組受信手段を操作した操作履歴を取得して、この操作履歴で関連付けられている操作結果と時刻とによって、番組毎の正確な視聴率をすぐに測定することができる。
【００３０】
請求項５、６、７、８記載の発明によれば、操作履歴送信携帯端末と視聴率測定装置との組み合わせによって、デジタル放送、アナログ放送、ＢＳ、ＣＳ、ケーブルテレビ等の番組の視聴率を測定可能で、従来のように視聴率計測器等の特別な機器を必要とすることが無く、より多くの視聴者から効率よく操作履歴（計測情報）を取得することができ、操作履歴（計測情報）の安全性を確保することができて、番組の視聴率を測定することができる。
【発明を実施するための最良の形態】
【００３１】
次に、本発明の実施形態について、適宜、図面を参照しながら詳細に説明する。
〈視聴率測定システムの概要〉
図１は、視聴率測定システムのブロック図（主に操作履歴送信携帯端末を図示）である。この図１に示すように視聴率測定システムＡは、複数の操作履歴送信携帯端末１と、視聴率測定装置３とによって構成されている。各操作履歴送信携帯端末１には番組受信装置（番組受信手段）２および付属操作装置（操作手段）４がそれぞれ設置されている。
【００３２】
視聴率測定システムＡは、番組受信装置２をこの番組受信手段２を操作可能であり、予め付属している付属操作装置４によって操作した操作結果と操作した時刻とを関連付けた操作履歴を、携帯電話等の携帯端末である操作履歴送信携帯端末１によって、放送局の関連団体が運営しており、視聴率を測定する視聴率データセンタに設置されている視聴率測定装置３に送信することで、当該装置３で番組毎の視聴率を測定（算出）するものである。
【００３３】
この視聴率測定システムＡでは、操作履歴送信携帯端末１を利用する利用者に対して、予め、番組の視聴率の測定に協力してもらうことを要請し、何らかの対価を提供することについて契約をする。
【００３４】
また、この視聴率測定システムＡでは、視聴率測定装置３で測定した番組毎の視聴率を、番組のスポンサーとなる会社（企業）や、番組の視聴率を掲載する雑誌等を出版する出版社や、各放送局に提供（販売）することを想定している。
【００３５】
番組受信装置２は、デジタル放送、アナログ放送、ＢＳ、ＣＳ、ケーブルテレビ等の番組を表示する信号（放送波、放送信号）を受信することが可能なチューナを備えたものであり、例えば、テレビやビデオテープレコーダやＤＶＤレコーダ等である。この番組受信装置２には、付属操作装置４から出力された赤外線（赤外線パターン）を受光する赤外線受光部（図示せず）が備えられている。
【００３６】
この番組受信装置２は、例えば、テレビ（番組受信手段＋表示手段）として構成されていてもいいし、ビデオテープレコーダ（番組受信手段＋ＶＴＲ録画手段）として構成されていてもいいし、ＤＶＤレコーダ（番組受信手段＋ＤＶＤ記録手段）として構成されていてもいい。
【００３７】
付属操作装置４は、番組受信装置２に予め付属されており（番組受信装置２を購入後、オプションとして購入可能）、操作履歴送信携帯端末１の利用者によって、当該番組受信手段の操作を行えるもので、操作ボタン部４ａと、赤外線発光部４ｂとを備えている。なお、この付属操作装置４は、番組受信装置２に付属している既存のもの、一般的なリモコン等である。但し、この付属操作装置４は、番組受信装置２に対して、当該番組受信装置２を操作可能な発信信号を発信することができる、市販のリモコン等であってもよい。
【００３８】
操作ボタン部４ａは、複数の操作ボタン（図示せず）から構成されるもので、この操作ボタンには、番組が放送されているチャンネルの番号を示すチャンネルボタンと、電源をオンオフする電源オンオフボタンと、音量を調整する音量調整ボタンとがあり、さらに、番組受信装置２に番組記憶手段（図示せず）が備えられている（内蔵されている）場合、番組記憶開始終了ボタン（録画開始終了ボタン）がある。
【００３９】
赤外線発光部４ｂは、操作ボタン部４ａのいずれかの操作ボタンが押下された場合に、この操作ボタンに対応した波形パターンの赤外線（赤外線パターン）を、番組受信装置２および操作履歴送信携帯端末１に向けて発光する（発信信号を出力する）ものである。
【００４０】
〈操作履歴送信携帯端末の構成〉
これより、操作履歴送信携帯端末１の構成について説明する。
操作履歴送信携帯端末１は、番組受信装置２を付属操作装置４によって操作した操作結果と操作した時刻とを関連付けた操作履歴を、視聴率データセンタに設置されている視聴率測定装置３に送信するもので、信号受信手段５と、計時手段７と、音声収音手段９と、画像取得手段１１と、現在位置情報取得手段１３と、個人情報記憶手段１５と、操作履歴生成手段１７と、操作履歴記憶手段１９と、操作履歴送信手段２１と、データ受信手段２３と、発信信号操作結果関連情報記憶手段２５とを備えている。なお、図１において、点線で囲ってあるデータ受信手段２３および発信信号操作結果関連情報記憶手段２５は、オプションである。
【００４１】
なお、この操作履歴送信携帯端末１は、付属操作装置４から発光される赤外線パターン（発信信号）を受光（受信）するために、番組受信装置２の近傍に設置することが好ましい。例えば、番組受信装置２の表示画面（図示せず）側で番組受信装置２を中心に半径数メートル内に操作履歴送信携帯端末１を設置すれば、付属操作装置４から発光される赤外線パターン（発信信号）を確実に受光（受信）することができる。
【００４２】
また、この操作履歴送信携帯端末１を、音声収音手段９によって、番組の音声が収音可能な位置に設置することが好適であり、さらに、画像取得手段１１によって、番組の画像が取得可能な位置に設置することが好適である。このため、操作履歴送信携帯端末１は、何らかの載置台（図示せず）に固定しておいた方が好適である。ちなみに、この載置台（図示せず）を、当該携帯端末１の利用者の位置と番組受信装置２の位置との間に設けておいて、当該携帯端末１に電力を供給する充電機能を備えておけば、利便性がよい。
【００４３】
例えば、操作履歴送信携帯端末１の利用者が自宅に帰宅後、当該携帯端末１に電力を充電するために、当該携帯端末１を載置台に自然と置くことになり（利用者に習慣化させることができ）、当該利用者が番組受信装置２によって番組を視聴する際には、確実に赤外線パターン（発光信号）を受光（受信）することができ、番組の音声および番組の画像も周囲からの影響を受けることが少なく（雑音の混入が低減されて）取得（収音）することができる。
【００４４】
この実施形態では、操作履歴送信携帯端末１は、載置台に載置されること（充電が開始されること）によって、赤外線パターン（発信信号）を受信する赤外線パターン受信モードとなり、受信した赤外線パターン（発信信号）に基づいて操作履歴を生成する。なお、この載置台に載置しない場合であっても、当該携帯端末１の利用者が当該携帯端末１を操作することによって、赤外線パターン受信モードを起動（機能）させることは可能である。
【００４５】
信号受信手段５は、付属操作装置４から出力された赤外線パターン（発信信号）を受信して、この赤外線パターン（発信信号）を受信したことを通知する通知信号を計時手段７、音声収音手段９、画像取得手段１１および現在位置情報取得手段１３に出力すると共に、赤外線パターン（発信信号）を操作履歴生成手段１７に出力するもので、赤外線受光部５ａと、受光確認ＬＥＤ部５ｂとを備えている。
【００４６】
赤外線受光部５ａは、付属操作装置４の赤外線発光部４ｂから発光（送信）された赤外線パターン（発信信号）を受光（受信）するものである。この赤外線パターン（発信信号）は、番組受信装置２を製造しているメーカ毎に設定されているものである。
【００４７】
受光確認ＬＥＤ部５ｂは、赤外線受光部５ａで赤外線パターン（発信信号）が受光（受信）された時に、点灯するＬＥＤによって構成されており、このＬＥＤが点灯することで、赤外線パターンが確実に操作履歴送信携帯端末１で受光されていることを当該携帯端末１の利用者に確認してもらうためのものである。この受光確認ＬＥＤ部５ｂには、少なくとも２色（受光ＯＫを示す色、受光不可を示す色）のＬＥＤが設けられている。つまり、赤外線パターンが確実に受光されている場合には、受光ＯＫを示す色のＬＥＤが点灯する。
【００４８】
なお、受光確認ＬＥＤ部５ｂは、赤外線受光部５ａによって、同時刻に複数の赤外線パターン（発信信号）が受信された場合（例えば、番組受信装置２および付属操作装置４が複数ある場合）、赤外線パターンが受光されていないものとみなして、受光不可を示すＬＥＤを点灯させる。これにより、操作履歴送信携帯端末１の利用者に対して、付属操作装置４を順次操作するように促すことができる。
【００４９】
なお、操作履歴送信携帯端末１は、この信号受信手段５で受信した赤外線パターン（発信信号）を、そのまま、付属操作装置４による番組受信装置２の操作結果として、操作履歴生成手段１７によって、操作履歴を生成することもできるが、オプションである発信信号操作結果関連情報記憶手段２５を組み込んで、番組受信装置２を製造しているメーカ毎に設定されている赤外線パターン（発信信号）を解釈して、番組受信装置２の操作結果（動作）、例えば、電源がオンにされたとか、チャンネル１が選局されたとか、音量が調整されたとかいった実際の操作結果に変換して、操作履歴生成手段１７によって操作履歴を生成することも可能である。
【００５０】
計時手段７は、信号受信手段５によって赤外線パターン（発信信号）が受光（受信）されたことを通知する通知信号を当該信号受信手段５から受け取って、この通知信号に基づいて、計時していた時刻（時分秒）を操作履歴生成手段１７に出力するものである。
【００５１】
なお、この計時手段７で計時する時刻（操作履歴に含まれることになる時刻）は、視聴率データセンタの視聴率測定装置３で視聴率を測定する際に極めて重要な要素となるので、厳密な正確さが要求される。このため、計時手段７で計時する時刻を、予め、標準時刻に正確にあわせておく必要がある。或いは、計時手段７に、標準時刻に自動的に調整する電波時計機能を備えていた方が好適である。
【００５２】
音声収音手段９は、小型・内蔵型のマイクロフォン等によって構成されており、信号受信手段５によって赤外線パターン（発信信号）が受光（受信）されたことを通知する通知信号を当該信号受信手段５から受け取って、この通知信号に基づいて、番組の音声を一定時間（例えば、５秒間）収音（集音）し、収音した音声を操作履歴生成手段１７に出力するものである。
【００５３】
この音声収音手段９で収音する音声の時間的な長さは、この実施の形態では５秒間としているが、任意の時間に設定することが可能である。但し、あまり長い時間を設定すると、視聴率データセンタの視聴率測定装置３で視聴率を測定する際に、音声の照合を取るための処理時間が増大してしまうので好ましくない。
【００５４】
また、この音声収音手段９は、信号受信手段５から通知信号が出力されない場合でも、定期的または不定期的に、番組の音声を一定時間収音して、収音した音声を操作履歴生成手段１７に出力することも可能である。これによって、当該携帯端末１の利用者が番組を視聴していると想定される時間中に、番組の音声が収音され、さらに、収音された音声と、視聴率データセンタの視聴率測定装置３において、実際に放送され蓄積された番組の音声との照合がとれれば、確実に番組を視聴していることを証明することができる。
【００５５】
なお、この実施形態では、操作履歴送信携帯端末１を、番組受信装置２の表示画面側の近傍に設けた載置台に設置することとしているので、音声収音手段９によって収音（集音）される番組の音声に雑音が混入する確率が減少し、収音（集音）する番組の音声の品質が向上する可能性が高くなる。この結果、視聴率データセンタの視聴率測定装置３において、収音された音声と、実際に放送され蓄積された番組の音声との照合の精度を向上させることが可能になる。
【００５６】
画像取得手段１１は、小型・内蔵型のカメラ等によって構成されており、信号受信手段５によって赤外線パターン（発信信号）が受光（受信）されたことを通知する通知信号を当該信号受信手段５から受け取って、この通知信号に基づいて、番組の画像を撮像し、撮像した画像を操作履歴生成手段１７に出力するものである。なお、この画像取得手段１１で撮像する番組の画像は、視聴率データセンタの視聴率測定装置３における処理時間を考慮して、１画像〜数画像としている。つまり、１画像の一部分だけを撮像すると、この一部分の画像から番組を特定することが困難になることが予測されるからである。また、数画像分を撮像するのは、計時手段７で計時される時刻と、視聴率測定装置３内で計時される時刻との誤差を考慮したからである。
【００５７】
また、この画像取得手段１１は、信号受信手段５から通知信号が出力されない場合でも、定期的または不定期的に、番組の画像を撮像し、撮像した画像を操作履歴生成手段１７に出力することも可能である。これによって、当該携帯端末１の利用者が番組を視聴していると想定される時間中に、番組の画像が撮像され、さらに、撮像された画像と、視聴率データセンタの視聴率測定装置３において、実際に放送され蓄積された番組の画像との照合がとれれば、確実に番組を視聴していることを証明することができる。
【００５８】
なお、この画像取得手段１１は、当該携帯端末１を載置させる載置台（図示せず）により、番組受信装置２の表示画面のほぼ正面に向けられ（正対させられ）、一定の距離から番組の画像が取得できるように設置されている。また、当該携帯端末１の利用者に予め、当該携帯端末１を載置台に載置後に番組受信手段２を付属操作装置４によって操作するように要請する必要がある。
【００５９】
この画像取得手段１１によって取得された画像は、当該携帯端末１または視聴率測定装置３において、番組の画像を補正する画像処理を施すことによって、視聴率測定装置３で実際に放送され蓄積された番組の画像との照合を行うことが可能になる。
【００６０】
なお、この実施形態では、操作履歴送信携帯端末１を、番組受信装置２の表示画面側の近傍に設けた載置台に設置することとしているので、画像取得手段１１によって取得される番組の画像の品質が均一となる（安定化する）この結果、視聴率データセンタの視聴率測定装置３において、取得された画像と、実際に放送され蓄積された番組の画像との照合の精度を向上させることが可能になる。
【００６１】
現在位置情報取得手段１３は、ＧＰＳ（Ｇｌｏｂａｌ  Ｐｏｓｉｔｉｏｎｉｎｇ  Ｓｙｓｔｅｍ；全地球測位システム）の現在地情報を受信する受信回路等（当該携帯端末１自体がＧＰＳにおける移動局に該当）によって構成されており、信号受信手段５によって赤外線パターン（発信信号）が受光（受信）されたことを通知する通知信号を当該信号受信手段５から受け取って、この通知信号に基づいて、当該携帯端末１の現在位置（地表上の座標）を示す現在位置情報を取得して、取得した現在位置情報を操作履歴生成手段１７に出力するものである。
【００６２】
個人情報記憶手段１５は、不揮発性のメモリ等によって構成されており、当該携帯端末１の利用者の個人情報を記憶するものである。この個人情報は、個人に関わる全般の情報であり、視聴率を分析する際に利用可能なもので、利用者の名前、性別、年齢、住所、出身地、職業、年収、趣味、嗜好（好みの食べ物、好みのブランド、好みの男優・女優等）、家族構成、身長、体重、髪型等である。
【００６３】
なお、この個人情報は、当該携帯端末１の初期設定において、個人情報記憶手段１５に記憶された時点で、自動的に操作履歴生成手段１７に出力されて、操作履歴に付加されるように設定されている。但し、この個人情報記憶手段１５に記憶されている個人情報は、当該携帯端末１の利用者の意向に添って、操作履歴に付加するか否かを決定できるものである。個人情報を操作履歴に付加するか否かの変更操作は、操作履歴送信携帯端末１に備えられている図示を省略した操作手段を用いることによって行うことができる。
【００６４】
操作履歴生成手段１７は、信号受信手段５から出力された赤外線パターン（発信信号）と、計時手段７から出力された時刻と、音声収音手段９から出力された番組の音声と、画像取得手段１１から出力された番組の画像とを関連付け、さらに、現在位置情報取得手段１３から出力された現在位置情報と、個人情報記憶手段１５から出力された個人情報とを付加した操作履歴を生成して、操作履歴記憶手段１９に出力するもので、個人情報付加手段１７ａと、現在位置情報付加手段１７ｂとを備えている。
【００６５】
この操作履歴生成手段１７で生成される操作履歴は、少なくとも操作結果と時刻とが関連付けられたものであり、この実施の形態では、さらに番組の音声、番組の画像が関連付けられており、現在位置情報と、個人情報とが付加されているものである。例えば、操作履歴は、ある時刻にある放送局（例えば、チャンネル１）を選局する操作ボタンが押下されたことを示し、また別の時刻に、別の放送局（例えば、チャンネル３）を選局する操作ボタンが押下されたことを示すものである。
【００６６】
つまり、この操作履歴生成手段１７で生成される操作履歴は、例えば、１３時２３分１０秒にチャンネル１を選局する操作ボタンが押下された（チャンネル１が選択された）ことを示し、１４時５分３８秒にチャンネル３を選局する操作ボタンが押下された（チャンネル３が選択された）ことを少なくとも示すものである。
【００６７】
個人情報付加手段１７ａは、個人情報記憶手段１５に記憶されている個人情報を、操作履歴に付加するものである。
現在位置情報付加手段１７ｂは、現在位置情報取得手段１３で取得された当該携帯端末１の現在位置情報を操作履歴に付加するものである。
【００６８】
操作履歴記憶手段１９は、不揮発性のメモリ等によって構成されており、操作履歴生成手段１７で生成された操作履歴を記憶するものである。この実施の形態では、操作履歴記憶手段１９に記憶されている操作履歴を一定時間毎に（または一定データ量が蓄積された時点で）操作履歴送信手段２１に出力している。
【００６９】
なお、操作履歴送信携帯端末１から視聴率データセンタの視聴率測定装置３への操作履歴の送信については、視聴率測定装置３から出力される、操作履歴を要求する操作履歴要求信号を当該携帯端末１が受信した際に出力するようにしてもよい。この場合、視聴率測定装置３は、操作履歴要求信号を全ての操作履歴送信携帯端末１に同時に出力するのではなく、操作履歴要求信号を一定台数の操作履歴送信携帯端末１毎に時間差を付けて出力する（送信時刻をずらす）ようにすれば、視聴率測定装置３において、操作履歴を受信する際にかかる処理を分散する（瞬時的にかかる負荷を軽減する）ことが可能となる。
【００７０】
操作履歴送信手段２１は、操作履歴記憶手段１９に記憶されている操作履歴を、通信回線を介して、視聴率測定装置３に出力するものである。この操作履歴送信手段２１では、操作履歴を符号化した符号化データとして出力する。また、この操作履歴送信手段２１では、暗号化手段（共通暗号鍵方式、公開暗号鍵方式等の暗号鍵によるもの）を備えて、操作履歴を暗号化した暗号化データとして送信することも可能である。
【００７１】
なお、この操作履歴送信手段２１による操作履歴の送信は、予め、一定時間経過毎に自動的に行うように設定すること（自動送信設定）も可能である。
【００７２】
また、操作履歴送信携帯端末１が携帯電話である場合には、当該携帯電話（操作履歴送信携帯端末１に相当）が発信した電波（操作履歴）は当該携帯電話を販売管理する携帯電話事業者の基地局から、当該携帯電話事業者が管理保守する携帯電話事業者装置（携帯電話事業者サーバ）に集められ、このサーバから視聴率測定装置３に送信（転送）されることになる。
【００７３】
この場合、当該携帯端末１の利用者のプライベートな情報である操作履歴がサーバに一旦蓄積され、このサーバから操作履歴が漏洩する恐れがあるので、視聴率データセンタの事業者と携帯電話事業者との間で、操作履歴の秘匿性を保持する契約を締結しておく必要がある。
【００７４】
データ受信手段２３は、視聴率測定装置３から送信された操作履歴生成プログラムのデータを、通信回線（ネットワーク）を介して受信して、操作履歴生成手段１７に出力するものである。つまり、データ受信手段２３は、操作履歴生成手段１７が操作履歴を生成する機能を有していない場合（この場合、当該携帯端末１の制御を司る単なる制御手段）に、受信した操作履歴生成プログラムを出力し、操作履歴生成手段１７（制御手段）で起動（展開）させることで、操作履歴生成手段１７（制御手段）に対し操作履歴を生成する機能を付与するためのものである。すなわち、この操作履歴生成プログラムは、操作結果と時刻とを関連付けた操作履歴を生成可能にすると共に、番組の音声と番組の画像の少なくとも一方を当該操作履歴に関連付ける機能を有しており、さらに、個人情報付加手段１７ａと現在位置情報付加手段１７ｂとに相当する機能を有しているものである。
【００７５】
発信信号操作結果関連情報記憶手段２５は、不揮発性のメモリ等によって構成されており、付属操作装置４から発光（発信）される赤外線パターン（発信信号）と番組受信装置２の操作結果とが関連付けられている発信信号操作結果関連情報を記憶するものである。
【００７６】
なお、この発信信号操作結果関連情報は、番組受信手段２が番組を受信するチューナを備えたもので、テレビ以外に、ビデオテープレコーダやＤＶＤレコーダ等、多岐にわたるので、データ量が多くなる可能性があり、操作履歴送信携帯端末１に予め記憶させておくと、当該携帯端末１の製造コストが増加してしまうので、発信信号操作結果関連情報記憶手段２５は、この実施の形態ではオプションとしている。
【００７７】
この操作履歴送信携帯端末１によれば、付属操作装置４により番組受信装置２（番組受信手段）が操作される際に発信される発信信号を、信号受信手段５によって受信し、計時手段７によって、信号受信手段５で発信信号が受信された時刻が計時される。そして、操作履歴生成手段１７によって、信号受信手段５で受信された受信信号を、付属操作装置４により番組受信装置２が操作された操作結果とし、この操作結果と計時手段７で計時された時刻とが関連付けられた操作履歴が生成され、操作履歴記憶手段１９によって記憶され、操作履歴送信手段２１によって、操作履歴が送信される。このため、番組受信装置２に付属されている付属操作装置４によって当該番組受信装置２を操作した結果を、携帯電話等の携帯端末を操作履歴送信携帯端末１として使用して送信することで、従来のように視聴率計測器等の特別な機器を必要とすることが無く、より多くの視聴者から効率よく操作履歴を取得することができる。また、携帯電話等の携帯端末から出力される際には、通常、符号化して送信するので、操作履歴（計測情報）の安全性を確保することができ、当該操作履歴を集計すれば、番組の視聴率を測定することができる。
【００７８】
また、この操作履歴送信携帯端末１によれば、発信信号操作結果関連情報記憶手段２５に記憶されている発信信号操作結果関連情報を用いて、信号受信手段５により受信した発信信号を、番組受信装置２の操作結果（動作）に変換（解釈）し、付属操作装置４による操作結果として、操作履歴生成手段１７によって、操作履歴が生成され送信される。このため、操作履歴を回収する視聴率データセンタ、すなわち、操作履歴から番組の視聴率を測定する側（視聴率測定装置３）で、発信信号を番組受信装置２の操作結果（動作）に変換（解釈）する必要がないので、視聴率測定装置３の負担（測定処理）を軽減することができる。
【００７９】
また、この操作履歴送信携帯端末１によれば、当該携帯端末１が本来、操作履歴を生成する機能を有していない場合であっても、データ受信手段２３によって、操作履歴を生成する操作履歴生成プログラムのデータが受信され、起動する。このため、携帯電話等の携帯端末を操作履歴送信携帯端末１として使用すると、従来のように視聴率計測器等の特別な機器を必要とすることが無く、より多くの視聴者から効率よく操作履歴を取得することができる。また、携帯電話等の携帯端末から出力される際には、通常、符号化して送信するので、操作履歴（計測情報）の安全性を確保することができ、当該操作履歴を集計すれば、番組の視聴率を測定することができる。
【００８０】
また、この操作履歴送信携帯端末１によれば、音声収音手段９によって、信号受信手段５で発信信号が受信された際に、番組受信装置２で受信している番組の音声が一定時間（例えば、数秒間）収音され、操作履歴生成手段１７によって生成する操作履歴に、音声収音手段９で収音された音声が関連付けられる。番組の「音声」を利用することにより、操作履歴を回収する視聴率データセンタ（視聴率測定装置３）にて、この番組の「音声」と実際に放送した番組の音声との照合を取れば、視聴率を測定する際の精度を向上させる（利用者が番組を視聴しているか否かの不確実さを解消する可能性が高くなる）ことができる。
【００８１】
また、音声収音手段９によって、番組受信装置２を操作した操作時だけではなく、定期的或いは不定期的に音声を収音してもいい。音声を収音することで、番組受信装置２で実際に番組が表示出力されているか否かを確認することができる。つまり、付属操作装置４を利用せずに、利用者が、直接、番組受信装置２を操作した場合、例えば、電源をオフにした場合、実際には番組受信装置２が起動していないにも拘わらず、操作履歴上では番組が表示されている（番組を視聴している）ことになってしまうので、視聴率の精度が下がってしまう。これを防止するために音声収音手段９を活用することで、視聴率の精度を維持することができる。
【００８２】
また、この操作履歴送信携帯端末１によれば、画像取得手段１１によって、信号受信手段５で発信信号が受信された際に、番組受信装置２で受信している番組の画像が取得され、操作履歴生成手段１７によって生成する操作履歴に、画像取得手段１１で取得した画像が関連付けられる。番組の「画像」を利用することにより、操作履歴を回収する視聴率データセンタにて、この番組の「画像」と実際に放送した番組の画像との照合を取れば、視聴率を測定する際の精度を向上させる（利用者が番組を視聴しているか否かの不確実さを解消する可能性が高くなる）ことができる。
【００８３】
また、操作履歴送信携帯端末１が携帯電話である場合で、当該携帯電話の表示画面側に画像取得手段１１が備えられている場合には、当該画像取得手段１１で利用者の顔を定期的或いは不定期的に撮像して、操作履歴に付加してもよい。つまり、表示画面で番組が表示されている際に、本当に利用者が当該番組を視聴しているのかを確認することができ、視聴率の精度をさらに向上させることができる。
【００８４】
また、この操作履歴送信携帯端末１によれば、信号受信手段５によって受信した発信信号が付属操作装置４によって番組記憶手段（図示せず）に番組を記憶させる操作を指示するものであった場合、当該発信信号を操作結果としみなしており、この操作結果が反映された操作履歴を収集して視聴率を測定する場合に、番組を番組記憶手段（図示せず）に記憶させたことも視聴したと見なすことが可能になる。つまり、この操作履歴に基づいて生成された視聴率は、番組の視聴の仕方（放送時に視聴するのか、放送後に視聴する予定なのか等）の多様化に対応したものといえ、番組の視聴の仕方を分析するのに役立てることができる。
【００８５】
また、この操作履歴送信携帯端末１によれば、個人情報付加手段１７ａによって、個人情報記憶手段１５に記憶されている個人情報が操作履歴に付加される。個人情報は、利用者の名前、性別、年齢、住所、出身地、職業、年収、趣味等であり、この個人情報を操作履歴に付加して、視聴率データセンタに送信することで、視聴率データセンタで番組の視聴率を分析する際に活用することできる。例えば、視聴率を測定する際に、様々な角度からの視聴率、例えば、性別・年齢別の視聴率、地域（出身地）別の視聴率、職業別の視聴率、年収別の視聴率、趣味別の視聴率等を求めることができる。
【００８６】
また、この操作履歴送信携帯端末１によれば、現在位置情報付加手段１７ｂによって、現在位置情報取得手段１３で取得された当該携帯端末１の現在位置を示す現在位置情報が操作履歴に付加される。現在位置情報を操作履歴に付加して、視聴率データセンタに送信することで、視聴率データセンタで番組の視聴率の精度を向上させるために活用することできる。例えば、視聴率を測定する際に、現在位置情報に示された場所が、当該携帯端末１の利用者の自宅（家、マンション等）の場所（番組受信装置２が設置されている場所）と合致していない場合、当該携帯端末１の利用者が番組受信装置２によって番組を視聴しているとは言えず、この場合は、視聴率に計上しないこととして、視聴率の精度を向上させることができる。或いは、現在位置情報に示された場所が、当該携帯端末１の利用者の自宅（家、マンション等）の場所（番組受信装置２が設置されている場所）と合致していない場合であっても、何らかの形で郊外や街頭に設置されている番組受信装置２が存在するとみなして、視聴率に計上させることも可能である。
【００８７】
〈視聴率測定装置の構成〉
図２は、視聴率測定システムＡのブロック図（主に視聴率測定装置３を図示）である。
この図２に示すように、視聴率測定装置３は、複数の操作履歴送信携帯端末１から送信された操作履歴を集計して、番組毎の視聴率を測定するもので、操作履歴取得手段２９と、番組音声時刻関連データ蓄積手段３１と、番組画像時刻関連データ蓄積手段３３と、視聴率測定手段３５と、視聴率記憶手段３７と、データ送信手段３９と、発信信号操作結果関連情報記憶手段４１とを備えている。なお、データ送信手段３９および発信信号操作結果関連情報記憶手段４１はオプション（付加機能）として取り扱うことが可能である。
【００８８】
操作履歴取得手段２９は、複数（多数）の操作履歴送信携帯端末１から送信された操作履歴を取得（回収）するものである。この操作履歴取得手段２９では、取得した操作履歴が符号化された符号化データであった場合、復号して出力する。また、この操作履歴取得手段２９では、取得した操作履歴が暗号化された暗号化データである場合に対応した復号手段（共通暗号鍵方式、公開暗号鍵方式等の復号鍵によるもの）を備えて、暗号化された操作履歴（暗号化データ）を復号することも可能である。
【００８９】
なお、操作履歴取得手段２９は、操作履歴送信携帯端末１が携帯電話等である場合には、携帯電話等を管理保守する携帯電話事業者サーバから転送された操作履歴を受信することとなる。
【００９０】
番組音声時刻関連データ蓄積手段３１は、大容量のハードディスク等によって構成されており、放送局から放送された番組およびケーブルテレビ会社から送信された番組（デジタル放送、アナログ放送、ＢＳ、ＣＳ、ケーブルテレビ等の番組［放送番組］）に含まれている音声と、この音声が放送（送信）された時刻とを関連付けた番組音声時刻関連データを蓄積するものである。
【００９１】
番組音声時刻関連データは、放送局名（チャンネル番号）、放送年日時、番組名および番組を識別する識別情報が関連付けられ、放送された番組毎に、当該番組に含まれている音声と、音声が放送された時刻とが完全に関連（対応）付けられているものである。例えば、放送局名と放送年日時とを指定すると、即座にその放送局でその年日時に放送されていた番組の音声を特定（抽出）することができる。例えば、チャンネル１で２００４年の１月１９日の１７時００分００秒から１７時３０分００秒まで放送された番組について、１７時１２分４５秒から１７時１３分２７秒までの４２秒間の音声を抽出することは可能である。
【００９２】
番組画像時刻関連データ蓄積手段３３は、大容量のハードディスク等によって構成されており、放送局から放送された番組およびケーブルテレビ会社から送信された番組（デジタル放送、アナログ放送、ＢＳ、ＣＳ、ケーブルテレビ等の番組［放送番組］）に含まれている画像と、この画像が放送（送信）された時刻とを関連付けた番組画像時刻関連データを蓄積するものである。
【００９３】
番組画像時刻関連データは、放送局名（チャンネル番号）、放送年日時、番組名および番組を識別する識別情報が関連付けられ、放送された番組毎に、当該番組に含まれている画像と、画像が放送された時刻とが完全に関連（対応）付けられているものである。例えば、放送局名と放送年日時とを指定すると、即座にその放送局でその年日時に放送されていた番組の画像を特定（抽出）することができる。例えば、チャンネル３で２００４年の２月１日の８時００分００秒から１０時４５分００秒まで放送された番組について、９時８分７秒から９時８分１６秒までの９秒間の画像を抽出することは可能である。
【００９４】
視聴率測定手段３５は、操作履歴取得手段２９で取得された操作履歴に基づいて、番組毎の視聴率を測定すると共に、番組音声時刻関連データ蓄積手段３１に蓄積されている番組音声時刻関連データと番組画像時刻関連データ蓄積手段３３に蓄積されている番組画像時刻関連データとの少なくとも一方を使用して、精度の高い視聴率を測定するもので、番組音声時刻関連データ照合手段３５ａと、番組画像時刻関連データ照合手段３５ｂとを備えている。
【００９５】
この視聴率測定手段３５によって測定される番組毎（番組別）の視聴率は、番組毎の一定時間毎（いわゆる瞬間視聴率）に求められるものであり、例えば、２００４年３月３日放送の番組Ａ（放送時間１９時００分〜１９時３０分）の１分毎の視聴率（瞬間視聴率）は、１９時００分；１０．３％、１９時０１分；１０．５％、１９時０２分；１２％、１９時０３分；１１％、・・・といった具合に求められる。
【００９６】
番組音声時刻関連データ照合手段３５ａは、操作履歴に番組の音声が関連付けられている場合に、操作履歴に関連付けられている操作結果と時刻とに基づいて、この番組の音声と、番組音声時刻関連データ蓄積手段３１に蓄積されている番組音声時刻関連データとの照合を図る（類似度の算出をする）ものである。なお、照合の仕方（類似度の算出）として、時間軸上および周波数軸上における二次元ＤＰマッチング法等が挙げられ、番組音声時刻関連データ照合手段３５ａでは、一定値以上の類似度が得られれば、番組の音声が一致（合致）しているとみなしている。
【００９７】
この番組音声時刻関連データ照合手段３５ａは、例えば、操作結果に、「２００３年１２月９日の１６時３０分３３秒；チャネル１を選局」とあった場合に、この時（１６時３０分３３秒の前後数秒間）に放送されていた番組の音声を、番組音声時刻関連データ蓄積手段３１に蓄積されている番組音声時刻関連データから検索し、操作履歴に関連付けられている番組の音声と照合する。視聴率測定手段３５は、照合した結果、一致（合致）していた場合には、操作履歴送信携帯端末１の利用者が確かに番組を視聴していたとみなして視聴率に計上し、一致（合致）していなかった場合には、操作履歴送信携帯端末１の利用者が確かに番組を視聴していたかどうか疑わしいとして、視聴率に計上しない、若しくは、何らかの係数（当然、一致していた場合よりも視聴率が低くなるもの）を乗算して視聴率に計上する。
【００９８】
番組画像時刻関連データ照合手段３５ｂは、操作履歴に番組の画像が関連付けられている場合に、操作履歴に関連付けられている操作結果と時刻とに基づいて、この番組の画像と、番組画像時刻関連データ蓄積手段３３に蓄積されている番組画像時刻関連データとの照合を図る（類似度の算出をする）ものである。なお、照合の仕方（類似度の算出）として、時間軸上および周波数軸上における二次元ＤＰマッチング法等が挙げられ、番組画像時刻関連データ照合手段３５ｂでは、一定値以上の類似度が得られれば、番組の画像が一致（合致）しているとみなしている。
【００９９】
この番組画像時刻関連データ照合手段３５ｂは、例えば、操作結果に、「２００４年２月３日の８時１１分７秒；チャネル３を選局」とあった場合に、この時（８時１１分７秒の前後数秒間）に放送されていた番組の画像（数十から数百フレームの画像）を、番組画像時刻関連データ蓄積手段３３に蓄積されている番組画像時刻関連データから検索し、操作履歴に関連付けられている番組の画像と照合する。視聴率測定手段３５は、照合した結果、一致（合致）していた場合には、操作履歴送信携帯端末１の利用者が確かに番組を視聴していたとみなして視聴率に計上し、一致（合致）していなかった場合には、操作履歴送信携帯端末１の利用者が確かに番組を視聴していたかどうか疑わしいとして、視聴率に計上しない、若しくは、何らかの係数（当然、一致していた場合よりも視聴率が低くなるもの）を乗算して視聴率に計上する。
【０１００】
また、この視聴率測定手段３５は、操作履歴に、操作履歴送信携帯端末１によって番組記憶手段（図示せず）に番組を記憶させる操作結果（発信信号）が含まれている場合には、放送時の番組の視聴率と、記憶させた後に番組を再生して視聴したとする再生時の番組の視聴率とを算出する。
【０１０１】
さらに、この視聴率測定手段３５は、操作履歴に個人情報が付加されている場合に、この個人情報に基づいて、種々の視聴率を測定（算出）する。例えば、男女別の視聴率、１０代、２０代、３０代、４０代、５０代等の年代（年齢）別の視聴率、東北地方、関東地方、中部地方等の地域別（出身地）毎の視聴率、第一次産業従事者、第二次産業従事者、第三次産業従事者毎の視聴率、営業マン、工場労働者等の職業（職種）毎の視聴率を測定（算出）することができる。
【０１０２】
さらにまた、この視聴率測定手段３５は、操作履歴に現在位置情報が付加されている場合に、この現在位置情報に基づいて、精度の高い視聴率を測定（算出）する。例えば、現在位置情報が、操作履歴送信携帯端末１の利用者の自宅を示している場合は、番組の視聴率として計上するが、当該携帯端末１の利用者の自宅以外を示している場合には、番組の視聴率として計上しない。つまり、視聴率測定手段３５は、通常、番組受信装置２が当該携帯端末１の利用者の自宅に設置されているものとみなしており、視聴率を測定している。
【０１０３】
そしてまた、この視聴率測定手段３５は、番組の視聴時間を算出することができる。つまり、一方の番組の選択操作が行われた時刻と他方の番組の選択操作が行われた時刻との差によって番組の視聴時間を求められる。
【０１０４】
視聴率記憶手段３７は、大容量のハードディスク等によって構成されており、視聴率測定手段３５で測定（算出）された番組毎の視聴率を記憶するものである。なお、この視聴率記憶手段３７に記憶されている番組毎の視聴率を通信回線（ネットワーク）を介して、番組のスポンサーとなる会社（企業）や、視聴率を掲載する雑誌を出版している出版社や、番組を放送した放送局に送信することが可能である。この場合、この視聴率記憶手段３７に記憶されている番組毎の視聴率は、販売されることとなる（売買の対象となる）。
【０１０５】
データ送信手段３９は、操作履歴を生成する機能を有していない携帯端末（データを受信して起動させれば操作履歴送信携帯端末１になる）に対して、操作履歴生成プログラムのデータを、通信回線（ネットワーク）を介して送信するものである。
【０１０６】
発信信号操作結果関連情報記憶手段４１は、不揮発性のメモリ等によって構成されており、操作履歴を送信する側で、番組受信装置２（図１参照）を操作する付属操作装置４（図１参照）から発光（発信）される赤外線パターン（発信信号）と番組受信装置２の操作結果（動作）とが関連づけられている発信信号操作結果関連情報を記憶するものである。
【０１０７】
この発信信号操作結果関連情報記憶手段４１は、操作履歴送信携帯端末１から送信された操作履歴に、番組受信装置２の操作結果として付属操作装置４から発信された発信信号が含まれていた場合に、この発信信号を解釈する、つまり、この発信信号によって番組受信装置２がどのような動作したのかを取得するのに使用されるものである。
【０１０８】
この視聴率測定装置３によれば、操作履歴取得手段２９によって、複数の操作履歴送信携帯端末１から送信された操作履歴が取得され、視聴率測定手段３５によって、操作履歴取得手段２９で取得された操作履歴で関連付けられている付属操作装置４（図１参照）による操作結果と当該付属操作装置４から発信された発信信号を受信した時刻とに基づいて、番組の視聴率が測定される。そして、視聴率記憶手段３７によって、視聴率測定手段３５で測定された番組の視聴率が記憶される。このため、操作履歴携帯端末１から送信された操作履歴で関連付けられている操作結果と時刻とによって、番組毎の正確な視聴率をすぐに測定することができる。
【０１０９】
また、この視聴率測定装置３によれば、データ送信手段３９によって、操作履歴を生成する機能を有していない携帯端末（操作履歴送信携帯端末１）に対して、操作履歴を生成する操作履歴生成プログラムのデータが送信（アップロード）される。このため、操作履歴を生成する機能がない携帯端末（操作履歴生成プログラムが起動されれば、操作履歴送信携帯端末１となる）であっても、データ送信手段３９で送信された操作履歴生成プログラムが起動されれば、当該携帯端末（操作履歴送信携帯端末１）で操作履歴を送信することができるようになり、当該携帯端末（操作履歴送信携帯端末１）から送信された操作履歴で関連付けられている操作結果と時刻とによって、番組毎の正確な視聴率をすぐに測定することができる。
【０１１０】
また、この視聴率測定装置３によれば、番組音声時刻関連データ照合手段３５ａによって、番組音声時刻関連データ蓄積手段３１で蓄積されている、番組の音声とこの音声が送信（放送）された時刻とを関連付けた番組音声時刻関連データと、操作履歴に関連付けられている番組の音声とが照合され、視聴率測定手段３５によって、照合結果を反映した視聴率を測定（算出）することができる。つまり、操作履歴に関連付けられている番組の音声と、実際に放送された番組の音声とを照合しているので、これらが合致すれば、当該携帯端末１で番組受信装置２を操作した際に、番組を確実に視聴していたとみなすことができ、番組の視聴率の信頼性を向上させることができる。
【０１１１】
また、この視聴率測定装置３によれば、番組画像時刻関連データ照合手段３５ｂによって、番組画像時刻関連データ蓄積手段３３で蓄積されている、番組の画像とこの画像が送信（放送）された時刻とを関連付けた番組画像時刻関連データと、操作履歴に関連付けられている番組の画像とが照合され、視聴率測定手段３５によって、照合結果を反映した視聴率を測定（算出）することができる。つまり、操作履歴に関連付けられている番組の画像と、実際に放送された番組の画像とを照合しているので、これらが合致すれば、当該携帯端末１で番組受信装置２を操作した際に、番組を確実に視聴していたとみなすことができ、番組の視聴率の信頼性を向上させることができる。
【０１１２】
また、この視聴率測定装置３によれば、視聴率測定手段３５によって、付属操作装置４（図１参照）による操作結果に、番組を番組記憶手段（図示せず）に記憶させる操作が含まれている場合、番組記憶手段（図示せず）に番組を記憶させる操作結果も当該番組の視聴とみなして、視聴率が測定されている。このため、この視聴率は、番組の視聴の仕方（放送時に視聴するのか、放送後に視聴する予定なのか等）の多様化に対応したものといえ、番組の視聴の仕方を分析するのに役立てることができる。
【０１１３】
また、この視聴率測定装置３によれば、視聴率測定手段３５によって、当該携帯端末１の利用者の個人情報に基づいて、様々な角度からの番組の視聴率、例えば、性別・年齢別の視聴率、地域（出身地）毎の視聴率、職業毎の視聴率を測定（算出）することができる。
【０１１４】
また、この視聴率測定装置３によれば、現在位置情報に基づき、当該携帯端末１の現在位置を把握し、当該携帯端末１から送信された操作履歴を、番組の視聴率に計上（採用）するか否かを判断して、精度の高い視聴率を測定することができる。
【０１１５】
〈操作履歴送信携帯端末の動作〉
次に、図３に示すフローチャートを参照して、操作履歴送信携帯端末１の動作について説明する（適宜、図１参照）。
まず、操作履歴送信携帯端末１の利用者は、信号受信手段５によって、付属操作装置４から発信された発信信号を受信する（ステップＳ１）。この発信信号を受信した時に、操作履歴送信携帯端末１は、音声収音手段９によって番組の音声を収音するか、画像取得手段１１によって番組の画像を取得するかして、番組の音声と番組の画像との少なくとも一方を得る（ステップＳ２）。
【０１１６】
また、操作履歴送信携帯端末１は、当該携帯端末１の利用者が付属操作装置４を用いて、番組受信手段４で受信する番組を選択した時、つまり、信号受信手段５によって発信信号を受信した時に、当該信号受信手段５から出力される通知信号に基づき計時手段７によって、計時した時刻を操作履歴生成手段１７に出力する（ステップＳ３）。
【０１１７】
さらに、操作履歴送信携帯端末１は、信号受信手段５によって発信信号を受信した時に、当該信号受信手段５から出力される通知信号に基づいて、個人情報記憶手段１５に記憶されている個人情報を操作履歴生成手段１７に出力する（ステップＳ４）。
【０１１８】
さらにまた、操作履歴送信携帯端末１は、信号受信手段５によって発信信号を受信した時に、当該信号受信手段５から出力される通知信号に基づいて、現在位置情報取得手段１３によって取得された現在位置情報を操作履歴生成手段１７に出力する（ステップＳ５）。
【０１１９】
すると、操作履歴送信携帯端末１は、操作履歴生成手段１７によって、操作結果（発信信号）と、時刻と、番組の音声と番組の画像との少なくとも一方とを関連付けて、個人情報付加手段１７ａによって個人情報を付加し、現在位置情報付加手段１７ｂによって現在位置情報を付加して、操作履歴を生成する（ステップＳ６）。
【０１２０】
そして、操作履歴送信携帯端末１は、操作履歴記憶手段１９によって、操作履歴生成手段１７で生成された操作履歴を記憶し（ステップＳ７）、一定時間経過後または一定のデータ量記憶後、操作履歴を操作履歴送信手段２１に出力する。そして、操作履歴送信携帯端末１は、操作履歴送信手段２１によって、操作履歴を符号化（暗号化）して送信する（ステップＳ８）。
【０１２１】
〈視聴率測定装置の動作〉
次に、図４に示すフローチャートを参照して、視聴履歴測定装置３の動作について説明する（適宜、図２参照）。
まず、視聴履歴測定装置３は、操作履歴取得手段２９によって、複数の操作履歴送信携帯端末１から送信された操作履歴を取得する（ステップＳ１１）。なお、取得した操作履歴は符号化されているので、操作履歴取得手段２９で復号する。または、操作履歴が暗号化された暗号化データであった場合には、この操作履歴取得手段２９で復号鍵を用いて復号する。
【０１２２】
そして、視聴履歴測定装置３は、視聴率測定手段３５の番組音声時刻関連データ照合手段３５ａと番組画像時刻関連データ照合手段３５ｂとの少なくとも一方によって、操作履歴に関連付けられている番組の音声と番組の画像との少なくとも一方と、番組音声時刻関連データ蓄積手段３１に蓄積されている番組音声時刻関連データと番組画像時刻関連データ蓄積手段３３に蓄積されている番組画像時刻関連データとの少なくとも一方とを照合する（ステップＳ１２）。
【０１２３】
そして、視聴履歴測定装置３は、視聴率測定手段３５によって、照合結果に基づいて、番組毎の視聴率を生成し（ステップＳ１３）、視聴率記憶手段３７に生成した視聴率を記憶する（ステップＳ１４）。
【０１２４】
なお、操作履歴に含まれている操作結果が、付属操作装置４による発信信号であるので、ステップＳ１２の後に、発信信号操作結果関連情報記憶手段４１に記憶されている発信信号操作結果関連情報を参照して、発信信号を番組受信装置２の操作結果（動作）に変換する動作が必要になる。
【０１２５】
〈視聴率を測定する際の詳細な動作〉
次に、図５に示すフローチャートを参照して、視聴率測定装置３の動作の中で、特に、視聴率を測定する際の詳細な動作について説明する（適宜、図２参照）。
まず、視聴率測定装置３は、視聴率測定手段３５によって、操作履歴に番組の音声が関連付けられているか否かを判断し（ステップＳ２１）、操作履歴に番組の音声が関連付けられていると判断した場合（ステップＳ２１、Ｙｅｓ）、番組の音声と、番組音声時刻関連データ蓄積手段３１に蓄積されている番組音声時刻関連データとを、番組音声時刻関連データ照合手段３５ａによって、照合する（ステップＳ２２）。そして、視聴率測定装置３は、視聴率測定手段３５によって、照合した照合結果に従って視聴率を測定する（ステップＳ２３）。
【０１２６】
ステップＳ２１にて、操作履歴に番組の音声が関連付けられていると判断されなかった場合（ステップＳ２１、Ｎｏ）、操作履歴に番組の画像が関連付けられているか否かを判断し（ステップＳ２４）、操作履歴に番組の画像が関連付けられていると判断した場合（ステップＳ２４、Ｙｅｓ）、番組の画像と、番組画像時刻関連データ蓄積手段３３に蓄積されている番組画像時刻関連データとを、番組画像時刻関連データ照合手段３５ｂによって、照合する（ステップＳ２５）。そして、視聴率測定装置３は、視聴率測定手段３５によって、照合した照合結果に従って視聴率を測定する（ステップＳ２６）。
【０１２７】
また、ステップＳ２４にて、操作履歴に番組の画像が関連付けられていると判断されなかった場合（ステップＳ２４、Ｎｏ）、操作履歴には、番組の音声も番組の画像も関連付けられていないものとして、視聴率を測定する（ステップＳ２７）。
【０１２８】
そして、視聴率測定装置３は、視聴率測定手段３５によって、操作履歴に現在位置情報が付加されているか否かを判断し（ステップＳ２８）、操作履歴に現在位置情報が付加されていると判断した場合（ステップＳ２８、Ｙｅｓ）、現在位置情報に基づいて、取得した操作履歴を視聴率に計上するか否かを決定し、視聴率を測定する（ステップＳ２９）。そして、この計上した視聴率が視聴率記憶手段３７に出力される。
【０１２９】
そしてまた、ステップＳ２８にて、操作履歴に現在位置情報が付加されていると判断されなかった場合（ステップＳ２８、Ｎｏ）、視聴率測定装置３は、視聴率測定手段３５によって、操作履歴に個人情報が付加されているか否かを判断し（ステップＳ３０）、操作履歴に個人情報が付加されていると判断した場合（ステップＳ３０、Ｙｅｓ）、個人情報に基づいて、分類した視聴率を測定する（視聴率を分類する）（ステップＳ３１）。この分類した視聴率が視聴率記憶手段３７に出力される。
【０１３０】
なお、ステップＳ３０にて、操作履歴に個人情報が付加されていると判断されなかった場合（ステップＳ３０、Ｎｏ）、ステップＳ２３、ステップＳ２６またはステップＳ２７で測定された視聴率が分類されることなく、視聴率記憶手段３７に出力されることになる。
【０１３１】
〈番組の音声、番組の画像の照合の例について〉
次に、図６（ａ）（ｂ）を参照して、視聴率測定装置３の番組音声時刻関連データ照合手段３５ａと番組画像時刻関連データ照合手段３５ｂとにおける、番組の音声と番組の画像の照合の例について説明する。図６（ａ）は、操作履歴と番組の音声とが関連付けられているイメージを示したものであり、図６（ｂ）は、操作履歴と番組の画像とが関連付けられているイメージを示したものである。
【０１３２】
図６（ａ）に示すように、視聴率測定装置３では、視聴率測定手段３５の番組音声時刻関連データ照合手段３５ａによって、操作履歴に関連付けられている時刻に基づいて、番組音声時刻関連データ蓄積手段３１から当該時刻の前後１０秒（任意に設定可能）の番組音声時刻関連データを読み出して、操作履歴に関連付けられている番組の音声（５秒間）と照合し、照合した結果、音声の波形が完全に（ほぼ）一致していれば、視聴率として計上する。
【０１３３】
図６（ｂ）に示すように、視聴率測定装置３では、視聴率測定手段３５の番組画像時刻関連データ照合手段３５ｂによって、操作履歴に関連付けられている時刻に基づいて、番組画像時刻関連データ蓄積手段３３から当該時刻の前後１０フレーム（任意に設定可能）の番組画像時刻関連データを読み出して、操作履歴に関連付けられている番組の画像（３フレーム）と照合し、照合した結果、いずれか１つのフレームの画像が完全に（ほぼ）一致していれば、視聴率として計上する。
【０１３４】
〈視聴率測定システムの構築例〉
次に、図７を参照して、視聴率測定システムの構築例について説明する。
図７は、視聴率測定システムＡの構築例の概略を説明した説明図である。
この図７に示したように、（１）赤外線受信機能（信号受信手段５）のついた携帯電話（操作履歴送信携帯端末１の一例）の所有者（利用者）に番組の視聴率を測定することに対し、協力を要請（依頼）する。なお、この赤外線受信機能のついた携帯電話の出荷台数は、数百万台に達しており、数万人〜数百万人の利用者から操作履歴を取得することができる。所有者（利用者）に協力を要請した結果、複数の操作履歴送信携帯端末１が所有者（利用者）の家庭内で利用されることになる。
【０１３５】
そして、（２）携帯電話の利用者は、リモコン（付属操作装置４）によって、テレビ（番組受信装置２）のチャンネルを変え、その操作結果に基づいて、操作履歴送信携帯端末１によって、操作履歴が生成され、操作履歴記憶手段１９に記憶される。そして、（３）操作履歴送信携帯端末１は、視聴率データセンタの要求により、一定時間毎に操作履歴記憶手段１９に記憶した操作履歴を視聴率データセンタの視聴率測定装置３に送信する。操作履歴を送信する送信時刻をずらすことによって、視聴率測定装置３の負荷軽減も可能である。
【０１３６】
その後、（４）視聴率データセンタの視聴率測定装置３によって、集計した視聴率データ（番組毎の視聴率をまとめたもの）を放送局に伝送（送信）する。他の放送局への提供も可能である。
【０１３７】
以上、本発明の実施形態について説明したが、本発明は前記実施形態には限定されない。例えば、本実施形態では、操作履歴送信携帯端末１、視聴率測定装置３として説明したが、例えば、これらの端末１、装置３の各構成の処理を一つずつの過程ととらえた視聴率測定方法とみなすことも可能である。
【０１３８】
なお、操作履歴送信携帯端末１が携帯電話である場合、例えば、特に普及している携帯電話の利用者に依頼することで、当該携帯電話の操作の違いによる（操作性の優劣による）番組の視聴率への影響を考慮する必要が無く、多数の操作履歴を取得することができ、より精度の高い視聴率を測定することができる。
【０１３９】
また、この操作履歴送信携帯端末１を貸与することも想定される。例えば、放送局、携帯端末事業者等を主管として、無作為抽出した（或いは作為抽出した）視聴者に対して、一定台数、一定期間、操作履歴送信携帯端末１を貸与して、操作履歴を送信してもらい（操作履歴を適宜要求して回収）、視聴率測定装置３で視聴率を測定することができる。
【０１４０】
なお、この場合、貸与する操作履歴送信携帯端末１の最大数には実質上、上限がある。つまり、普及している携帯電話等を使用する場合と異なり、視聴率を測定するまでにかかる費用に対し、測定した視聴率を販売して得られる利益が上がらなければならず、貸与する操作履歴送信携帯端末１の製造コスト等を鑑みた場合、自ずと最大数（最大端末数）が定まることになる。
【０１４１】
さらに、操作履歴送信携帯端末１自体に付属操作装置４の機能（発信信号を発信する）が搭載されており、当該携帯端末１を番組受信装置２のリモコンの代わりとして用いる場合には、別の操作履歴送信携帯端末１から操作履歴を送信するといったことも可能である。
【図面の簡単な説明】
【０１４２】
【図１】本発明の実施形態に係る視聴率測定システム（主に、操作履歴送信携帯端末を図示）のブロック図である。
【図２】本発明の実施形態に係る視聴率測定システム（主に、視聴率測定装置を図示）のブロック図である。
【図３】図１に示した操作履歴送信携帯端末の動作を説明したフローチャートである。
【図４】図２に示した視聴率測定装置の動作を説明したフローチャートである。
【図５】図２に示した視聴率測定装置において、視聴率の測定についての動作を説明したフローチャートである。
【図６】（ａ）番組の音声の照合について説明した説明図である。  （ｂ）番組の画像の照合について説明した説明図である。
【図７】視聴率測定システムの構築例を説明した説明図である。
【符号の説明】
【０１４３】
１          操作履歴送信携帯端末
２          番組受信装置（番組受信手段）
３          視聴率測定装置
４          付属操作装置（操作手段）
５          信号受信手段
５ａ        赤外線受光部
５ｂ        受光確認ＬＥＤ部
７          計時手段
９          音声収音手段
１１        画像取得手段
１３        現在位置情報取得手段
１５        個人情報記憶手段
１７        操作履歴生成手段
１７ａ      個人情報付加手段
１７ｂ      現在位置情報付加手段
１９        操作履歴記憶手段
２１        操作履歴送信手段
２３        データ受信手段
２５、４１  発信信号操作結果関連情報記憶手段
２９        操作履歴取得手段
３１        番組音声時刻関連データ蓄積手段
３３        番組画像時刻関連データ蓄積手段
３５        視聴率測定手段
３５ａ      番組音声時刻関連データ照合手段
３５ｂ      番組画像時刻関連データ照合手段
３７        視聴率記憶手段
３９        データ送信手段
Ａ          視聴率測定システム
【図１】
2005286372.tif 000003
【図２】
2005286372.tif 000004
【図３】
2005286372.tif 000005
【図４】
2005286372.tif 000006
【図５】
2005286372.tif 000007
【図６】
2005286372.tif 000008
【図７】
2005286372.tif 000009